(57)【要約】【課題】閉操作時における指詰をより確実に防止することができる、安全性に優れた鋏を提供する。【解決手段】本発明においては、左右の両操作部７ａ・７ｂに、上下の方向から対向内面１０ａ・１０ｂ側への指先の進入を防ぐための指詰防止ガード２０ａ・２０ｂを形成した。これによれば、指掛孔６ａ・６ｂ内に挿入された操作者の指先を指詰防止ガード２０ａ・２０ｂの上下面に沿わすことで、操作者の指先が対向内面１０ａ・１０ｂに至ることを防ぐことができる。従って、操作部７ａ・７ｂを閉姿勢としたときに、指先が対向内面１０ａ・１０ｂの間に挟まれて指詰が生じることを防ぐことができる。【選択図】図１
2013000160.tif 000002
【特許請求の範囲】
【請求項１】
前端に切断部（２）を有するとともに後端に柄部（３）を有する上下一対の鋏片（４ａ・４ｂ）と、鋏片（４ａ・４ｂ）の前後方向の中央部に設けられて、Ｘ字状に組まれた鋏片（４ａ・４ｂ）どうしを交差揺動可能に支持する回転中心軸（５）と、各鋏片（４ａ・４ｂ）の柄部（３）に装着されて、操作者の指先を掛けるための指掛孔（６ａ・６ｂ）を有する左右一対の操作部（７ａ・７ｂ）とを備え、
指掛孔（６ａ・６ｂ）に掛けた指先により、両操作部（７ａ・７ｂ）の対向内面（１０ａ・１０ｂ）が離れる開姿勢と、両操作部（７ａ・７ｂ）の対向内面（１０ａ・１０ｂ）が近接する閉姿勢との間で、回転中心軸（５）まわりに両操作部（７ａ・７ｂ）を開閉操作することにより、切断部（２）を開閉操作することができる鋏において、
左右一方の操作部（７ａ）の上端、および他方の操作部（７ｂ）の下端には、これら上端および下端から左右内方向に片持ち状に張り出し形成されて、両操作部（７ａ・７ｂ）を閉姿勢としたときに、相対する操作部（７ｂ・７ａ）の上端面（１６ｂ）或いは下端面（１６ａ）に重なって、上下の方向から対向内面（１０ａ・１０ｂ）側への指先の進入を防ぐための指詰防止ガード（２０ａ・２０ｂ）が形成されていることを特徴とする鋏。
【請求項２】
閉姿勢において指詰防止ガード（２０ａ・２０ｂ）に対向する操作部（７ｂ・７ａ）の上端面（１６ｂ）および下端面（１６ａ）が平坦面とされている、請求項１記載の鋏。
【請求項３】
指詰防止ガード（２０ａ・２０ｂ）の操作部（７ａ・７ｂ）からの基端部に、滑り止め用の凹凸部（２５）が形成されている、請求項１記載の鋏。
【請求項４】
両操作部（７ａ・７ｂ）の一方、或いは両方の対向内面（１０ａ・１０ｂ）には、閉姿勢における両操作部（７ａ・７ｂ）の近接限界を規制するための突部（２１ａ・２１ｂ）が形成されており、突部（２１ａ・２１ｂ）どうしが接触すること、或いは突部（２１ａ・２１ｂ）の突端が対向内面に接触することで、閉姿勢において両操作部（７ａ・７ｂ）の間には対向空隙（２３）が形成されるようになっており、
両操作部（７ａ・７ｂ）を閉姿勢としたとき、指詰防止ガード（２０ａ・２０ｂ）により上下方向から対向間隙（２３）への指先の進入を防止することができるようになっている、請求項１乃至３のいずれかに記載の鋏。
【発明の詳細な説明】
【技術分野】
【０００１】
本発明は、鋏に関し、特に指詰を防止する技術に関する。
【背景技術】
【０００２】
鋏の分野において指詰を防止する方法としては、例えば特許文献１に示すように、操作部の対向内面に突起を設けることが公知である。かかる特許文献１においては、一方の操作部の他方操作部への対向内面に突起を設けて、両操作部が線又は面では当接されないようにして、指先が両操作部の間に挟まれることを防いでいる。同様の突起は特許文献１の先願に係る特許文献２にも見受けられる。和鋏や理髪用の鋏にも同様の突起が見受けられる。
【先行技術文献】
【特許文献】
【０００３】
【特許文献１】特開２００４−７３３１０号公報（段落番号００２２）
【特許文献２】実開昭５２−０９９５８５号公報
【発明の概要】
【発明が解決しようとする課題】
【０００４】
上記のように、両操作部の閉じ操作限界を規制するための突起により、両操作部が線又は面で当接されないようにする鋏では、突起が操作部に当接することで両操作部の間に空隙が形成され、かかる空隙の存在により指先等が両操作部の間に挟まれることを効果的に防止できるものの、突起と操作部の対向内面との間に指先等が挟まれるおそれが残り、根本的に指詰を防止することは不可能であると言わざるを得ない。かかる不都合は、特に大きな力で切断作業が行なわれる作業工具としての鋏、具体的には、金属板、樹脂板、ロープ或いはケーブルなどの切断に使用される鋏において顕著となる。すなわち、金属板等を切断するためには大きな閉操作力が必要とされるため、操作者は操作部の指掛孔に深く指先を進入させた状態で操作部を閉操作する。このため、指掛孔を通った指先が操作部どうしの対向内面に至りやすく、指先が突起に掛かっていると、突起と操作部の対向内面との間で指先が挟まれる。
【０００５】
本発明は、以上のような従来の鋏の抱える問題を解決するためになされたものであり、閉操作時における指詰をより確実に防止することができる、安全性に優れた鋏を提供することを目的とする。
【課題を解決するための手段】
【０００６】
本発明は、図１に示すように、前端に切断部２を有するとともに後端に柄部３を有する上下一対の鋏片４ａ・４ｂと、鋏片４ａ・４ｂの前後方向の中央部に設けられて、Ｘ字状に組まれた鋏片４ａ・４ｂどうしを交差揺動可能に支持する回転中心軸５と、各鋏片４ａ・４ｂの柄部３に装着されて、操作者の指先を掛けるための指掛孔６ａ・６ｂを有する左右一対の操作部７ａ・７ｂとを備え、指掛孔６ａ・６ｂに掛けた指先により、両操作部７ａ・７ｂの対向内面１０ａ・１０ｂが離れる開姿勢と、両操作部７ａ・７ｂの対向内面１０ａ・１０ｂが近接する閉姿勢との間で、回転中心軸５まわりに両操作部７ａ・７ｂを開閉操作することにより、切断部２を開閉操作することができる鋏を対象とする。
そして、左右一方の操作部７ａの上端、および他方の操作部７ｂの下端には、これら上端および下端から左右内方向に片持ち状に張り出し形成されて、両操作部７ａ・７ｂを閉姿勢としたときに、相対する操作部７ｂ・７ａの上端面１６ｂ或いは下端面１６ａに重なって、上下の方向から対向内面１０ａ・１０ｂ側への指先の進入を防ぐための指詰防止ガード２０ａ・２０ｂが形成されていることを特徴とする。
【０００７】
図４に示すように、閉姿勢において指詰防止ガード２０ａ・２０ｂに対向する操作部７ｂ・７ａの上端面１６ｂおよび下端面１６ａが平坦面とされている形態を採ることが好ましい。
【０００８】
図１等に示すように、指詰防止ガード２０ａ・２０ｂの操作部７ａ・７ｂからの基端部に、滑り止め用の凹凸部２５が形成されている形態を採ることが好ましい。
【０００９】
両操作部７ａ・７ｂの一方、或いは両方の対向内面１０ａ・１０ｂには、閉姿勢における両操作部７ａ・７ｂの近接限界を規制するための突部２１ａ・２１ｂが形成されており、突部２１ａ・２１ｂどうしが接触すること、或いは突部２１ａ・２１ｂの突端が対向内面に接触することで、閉姿勢において両操作部７ａ・７ｂの間には対向空隙２３が形成されるようになっており、両操作部７ａ・７ｂを閉姿勢としたとき、指詰防止ガード２０ａ・２０ｂにより上下方向から対向間隙２３への指先の進入を防止することができるように構成することができる。
【発明の効果】
【００１０】
本発明に係る鋏においては、左右の両操作部７ａ・７ｂに、上下の方向から対向内面１０ａ・１０ｂ側への指先の進入を防ぐための指詰防止ガード２０ａ・２０ｂを形成した。より詳しくは、左右一方の操作部７ａの上端、および他方の操作部７ｂの下端に、これら上端および下端から左右内方向に片持ち状に張り出し形成されて、両操作部７ａ・７ｂを閉姿勢としたときに、相対する操作部７ｂ・７ａの上端面１６ｂ或いは下端面１６ａに重なって、上下の方向から対向内面１０ａ・１０ｂ側への指先の進入を防ぐための指詰防止ガード２０ａ・２０ｂを形成した。
【００１１】
当該構成によれば、指掛孔６ａ・６ｂに掛けた指先を、指詰防止ガード２０ａ・２０ｂに沿わせることができる。すなわち、図８に示すように、この種の鋏を操作するときには、通常は中指３３と薬指３４とが一方の操作部７ａの指掛孔６ａに挿入され、親指３１が他方の操作部７ｂの指掛孔６ｂに挿入されるが、本発明のように操作部７ａ・７ｂに指詰防止ガード２０ａ・２０ｂを設けてあると、これら中指３３および薬指３４の第１関節における屈曲角度を指詰防止ガード２０ａ・２０ｂで規制して、中指３３および薬指３４の指先を指詰防止ガード２０ａ・２０ｂの上下の外表面に沿わせることができる。これにて、指掛孔６ａ・６ｂ内に深く挿入された中指３３および薬指３４の指先が、第１関節で略直角状に折り曲げられて対向内面１０ａ・１０ｂに至ることを防ぐことができるので、操作部７ａ・７ｂを閉姿勢としたときに、これら中指３３および薬指３４の指先が操作部７ａ・７ｂの対向内面１０ａ・１０ｂの間に挟まれて指詰が生じることを確実に防ぐことができる。尤も、上記の中指３３等は、指掛孔６ａ等に挿入される指の一例であって、操作者の指の長さや大きさにより、指掛孔６ａに挿入される指は異なるものとなる。
【００１２】
また、両操作部７ａ・７ｂに指詰防止ガード２０ａ・２０ｂが形成されていると、いずれの操作部７ａ・７ｂの指掛孔６ａ・６ｂに中指３３および薬指３４が挿入された場合にも、指詰が生じることを防ぐことができ、使い勝手に優れた鋏１を得ることができる。なお、図１等の本実施形態に示す鋏１は、右利き用の鋏であって、左利き用の鋏の場合には、指詰防止ガード２０ａ・２０ｂの配設位置は上下反転される。
【００１３】
閉姿勢において指詰防止ガード２０ａ・２０ｂに対向する操作部７ｂ・７ａの上端面１６ｂおよび下端面１６ａは平坦面とすることが好ましい。これは、例えば操作部７ａ・７ｂの上端面１６ｂ或いは下端面１６ａに、指詰防止ガード２０ｂ・２０ａを受け入れるための凹部が陥没状に形成されていると、当該凹部を区画する側面と指詰防止ガード２０ａ・２０ｂの間に指先が挟まれるおそれがあることによる。これに対して、本発明のように、閉姿勢において指詰防止ガード２０ａ・２０ｂに対向する操作部７ｂ・７ａの上端面１６ｂおよび下端面１６ａが平坦面とされていると、上記のような凹部を区画する側面と指詰防止ガード２０ａ・２０ｂとの間に指先が挟まれる不具合は生じず、より確実に指詰を防ぐことができる。
【００１４】
指詰防止ガード２０ａ・２０ｂの操作部７ａ・７ｂからの基端部に、滑り止め用の凹凸部２５が形成されていると、これら凹凸部２５に中指３３等の指先をあてがうことにより、指掛孔６ａ・６ｂに挿入された中指３３等の状態をさらに確実に保持することができる。従って、中指３３等が不用意に滑り移動して、指先が対向内面１０ａ・１０ｂに至ることを防ぐことができ、対向内面１０ａ・１０ｂ或いは突部２１ａ・２１ｂの間に指先が挟まれることを防ぐことができる。
【００１５】
両操作部７ａ・７ｂの一方、或いは両方の対向内面１０ａ・１０ｂには、閉姿勢における両操作部７ａ・７ｂの近接限界を規制するための突部２１ａ・２１ｂが形成されており、突部２１ａ・２１ｂどうしが接触すること、或いは突部２１ａ・２１ｂの突端が対向内面１０ａ・１０ｂに接触することで、閉姿勢において両操作部７ａ・７ｂの間には対向空隙２３が形成されるようになっており、両操作部７ａ・７ｂを閉姿勢としたとき、指詰防止ガード２０ａ・２０ｂにより上下方向から対向間隙２３への指先の進入を防止することができるようにすることが好ましい。これによれば、不用意に指詰防止ガード２０ａ・２０ｂを超えて指先が対向内面１０ａ・１０ｂ側に進入した場合にも、両対向内面１０ａ・１０ｂの間に形成された対向間隙２３の存在により、対向内面１０ａ・１０ｂの間に指先が挟まれることを防ぐことができるので、より確実に指詰が生じることを防ぐことができる。
【図面の簡単な説明】
【００１６】
【図１】本発明に係る鋏の正面図である。
【図２】本発明に係る鋏の側面図である。
【図３】本発明に係る鋏の要部の正面図である。
【図４】図１のＡ−Ａ線断面図である。
【図５】本発明に係る鋏の要部の横断正面図である。
【図６】図１のＢ−Ｂ線断面図である。
【図７】（ａ）〜（ｄ）は、それぞれ本発明に係る鋏の背面図、左側面図、正面図、右側面図である。
【図８】本発明に係る鋏の使用方法を説明するための図である。
【図９】本発明に係る鋏の他の使用方法を説明するための図である。
【図１０】本発明に係る鋏のさらに他の使用方法を説明するための図である。
【発明を実施するための形態】
【００１７】
（実施形態）  図１ないし図１０に、本発明に係る鋏を、紙のみならず、金属板、樹脂板、ロープ或いはケーブルなどの各種ワークの切断にも供される作業工具としての鋏に適用した実施形態を示す。なお、本実施形態における前後、左右、上下とは、図１、図２、図５および図６に示す交差矢印と、各矢印の近傍に表記した前後、左右、上下の表示に従う。
【００１８】
図１および図３に示すように、鋏１は、前端に切断部２を有するとともに後端に柄部３を有する上下一対の鋏片４ｂ・４ａと、鋏片４ｂ・４ａの前後方向の中央部に設けられて、Ｘ字状に組まれた鋏片４ｂ・４ａどうしを交差揺動可能に支持する回転中心軸５と、各鋏片４ｂ・４ａの柄部３に装着されて、操作者の指先（図８〜１０参照）を掛けるための指掛孔６ａ・６ｂを有する左右一対の操作部７ａ・７ｂとで構成される。図１に示すように、上方に位置する鋏片４ｂの柄部３に右方の操作部７ｂが装着され、下方に位置する鋏片４ａの柄部３に左方の操作部７ａが装着されている。
【００１９】
操作部７ａ・７ｂは、樹脂製のブロック体であり、両指掛孔６ａ・６ｂに掛けた指先により、両操作部７ａ・７ｂの対向内面１０ａ・１０ｂどうしが離れる開姿勢（図３参照）と、両操作部７ａ・７ｂの対向内面１０ａ・１０ｂどうしが近接する閉姿勢（図１参照）との間で、回転中心軸５まわりに両操作部７ａ・７ｂを開閉操作自在に構成されている。そして、図３に示すように、両操作部７ａ・７ｂを開姿勢とすることで切断部２・２を開操作することができ、また、図１に示すように両操作部７ａ・７ｂを閉姿勢とすることで切断部２・２を閉操作して、ワークに対する切断作業を実行できる。
【００２０】
図１において符号８は、両鋏片４ａ・４ｂの切断部２・２に設けられた切断面を示す。上方側の鋏片４ｂの切断面８の後端部には、電力ケーブルの外皮膜等を切断するための切刃９が計三つ、凹み形成されている。
【００２１】
左方の操作部７ａは、柄部３が装着される装着穴１１ａ（図３および図４参照）を有するベースブロック１２ａと、ベースブロック１２ａの前後端に連結された略半円弧状の外ブロック１３ａとからなり、これらベースブロック１２ａおよび外ブロック１３ａを一体に成形してなる、平面視でリング状に形成された樹脂成形品である。右方の操作部７ｂは、左方の操作部７ａと対称形に形成されており、柄部３が装着される装着穴１１ｂを有するベースブロック１２ｂと、ベースブロック１２ｂの前後端に連結された略半円弧状の外ブロック１３ｂとからなり、これらベースブロック１２ｂおよび外ブロック１３ｂを一体に成形してなる、平面視でリング状の樹脂成形品である。左右の操作部７ａ・７ｂの中央部には、これらベースブロック１２ａ・１２ｂと外ブロック１３ａ・１３ｂとで内周縁が区画された指掛孔６ａ・６ｂが、前後方向に長い略楕円形状に形成されている。
【００２２】
図４に示すように、左方の操作部７ａのベースブロック１２ａは、上方の端面１５ａと、下方の端面１６ａと、右方に位置する対向内面１０ａと、左方に位置する左側面１７ａとを備える断面多角形状に形成されており、その上端には左右内方向に向かって指詰防止ガード２０ａが片持ち状に張り出し形成されている。かかる左方の操作部７ａと対称形に形成される右方の操作部７ｂのベースブロック１２ｂも同様の形状であり、下方の端面１５ｂと、上方の端面１６ｂと、左方に位置する対向内面１０ｂと、右方に位置する右側面１７ｂとを備える断面多角形状に形成されており、その下端には左右内方向に向かって指詰防止ガード２０ｂが片持ち状に張り出し形成されている。
【００２３】
図４に示すように、操作部７ａの左側面１７ａは、上端面１５ａに連続して左下方に傾斜する第１傾斜面１７１ａと、第１傾斜面１７１ａに連続して該第１傾斜面１７１ａよりも急峻な傾斜角度で左下方に傾斜する第２傾斜面１７２ａと、第２傾斜面１７２ａに連続して右下方に傾斜する第３傾斜面１７３ａとで構成されている。同様に、操作部７ｂの右側面１７ｂは、下端面１５ｂから連続して右上方に傾斜する第１傾斜面１７１ｂと、第１傾斜面１７１ｂに連続して該第１傾斜面１７１ｂよりも急峻な傾斜角度で右上方に傾斜する第２傾斜面１７２ｂと、第２傾斜面１７２ｂに連続して左上方に傾斜する第３傾斜面１７３ｂとで構成されている。
【００２４】
図４および図５に示すように、各操作部７ａ・７ｂのベースブロック１２ａ・１２ｂの対向内面１０ａ・１０ｂは、上下方向に伸びる鉛直面で形成されており、両対向内面１０ａ・１０ｂの前後方向の中央部には、閉姿勢における両操作部７ａ・７ｂの近接限界を規定するための突部２１ａ・２１ｂが形成されている。以上より、図５に示すように、両突部２１ａ・２１ｂの突端面どうしが接触する閉姿勢において、両操作部７ａ・７ｂの対向内面１０ａ・１０ｂの間には突部２１ａ・２１ｂの形成箇所を除いて対向間隙２３が形成されるようになっている。
【００２５】
先の指詰防止ガード２０ａ・２０ｂは、対向間隙２３に指先が進入し、対向壁面１０ａ・１０ｂの間に指先が挟まれることを防ぐ目的で設けられる。上述のように、左方の操作部７ａに設けられた指詰防止ガード２０ａは、ベースブロック１２ａの上端から左右内方向に向かって片持ち状に張り出し形成されており、閉姿勢において、右方の操作部７ｂのベースブロック１２ｂの上端面１６ｂと上下方向に所定の間隔距離を置いて重なり、上方から対向間隙２３への指先の進入を防ぐ（図４参照）。同様に、右方の操作部７ｂに設けられた指詰防止ガード２０ｂは、ベースブロック１２ｂの下端から左右内方向に向かって片持ち状に張り出し形成されており、閉姿勢において、左方向の操作部７ａのベースブロック１２ａの下端面１６ａと上下方向に所定の間隔距離を置いて重なり、下方から対向間隙２３への指先の進入を防ぐ。指詰防止ガード２０ａの上面は上端面１５ａと面一状に形成され、指詰防止ガード２０ｂの下面は下端面１５ｂと面一状に形成されている。
【００２６】
より詳しくは、図８に示すように、通常、操作者が本実施形態に係る鋏１を使用する場合には、中指３３と薬指３４とを左方の操作部７ａの指掛孔６ａに挿入し、親指３１を右方の操作部７ｂの指掛孔６ｂに挿入する。人差し指３２と小指３５とは、操作部７ａの外ブロックａの外周縁に沿わせる。そして、これら中指３３および薬指３４に対して親指３１を近付け、或いは遠ざかる方向に操作することで、操作部７ａ・７ｂを閉姿勢および開姿勢の間で操作して、鋏片４ａ・４ｂを開閉操作することができる。従って、指掛孔６ａに挿入された中指３３と薬指３４とが第１関節で大きく曲げられて、対向内面１０ａ（図３参照）に至った場合には、操作部７ａ・７ｂを閉姿勢としたときに、対向内面１０ａ・１０ｂの間、或いは突部２１ａ・２１ｂの間に中指３３および／又は薬指３４の指先が挟まれて指詰めを生じるおそれがある。そこで、本実施形態に係る鋏１では、操作部７ａ・７ｂのベースブロック１２ａ・１２ｂに、左右内方向に向かって指詰防止ガード２０ａ・２０ｂを張り出し形成して、中指３３および薬指３４の指先を指詰防止ガード２０ａ・２０ｂの表面に沿わせることで、対向内面１０ａ・１０ｂ或いは突部２１ａ・２１ｂの間に指先が挟まれることを防いでいる。換言すれば、中指３３および／又は薬指３４の指先が第１関節から大きく折り曲げられて、それらの指先が対向内面１０ａ・１０ｂに至ることを指詰防止ガード２０ａ・２０ｂにより防いで、対向内面１０ａ・１０ｂ或いは突部２１ａ・２１ｂの間に指先が挟まれることを防いでいる。なお、第１指である親指３１では、関節数が中指３３等の他の指に比べて少ないため、親指３１が対向内面１０ａ・１０ｂに至ることは稀であり、親指３１が対向内面１０ａ・１０ｂの間等に挟まれるおそれは殆ど無いことを補足する。
【００２７】
また、本実施形態に係る鋏１では、左右の指掛孔６ａ・６ｂの外形形状は略同一形状とされており、図８に示すように、左方の指掛孔６ａに中指３３および薬指３４を挿入して鋏１を使用する形態を採ることも、右方の指掛孔６ｂに中指３３および薬指３４を挿入して、鋏１を使用する形態を採ることも可能である。従って、本実施形態のように、左右の両操作部７ａ・７ｂのいずれにも指詰防止ガード２０ａ・２０ｂが設けられていると、上記いずれの使用態様を採った場合にも、確実に指詰を防止することができる。このことは、使用者が左右いずれの操作部７ａ・７ｂの指掛孔６ａ・６ｂに中指３３および薬指３４を挿入した場合にも指詰を防止することができることを意味し、左右勝手の違いを解消して利便性に優れた鋏１を提供することができる。これに対して、左右いずれかの操作部７ａ・７ｂにのみ指詰防止ガード２０ａ・２０ｂが設けられている形態では、操作者に中指３３等が挿入されるべき指掛孔６ａ・６ｂの選択を強いることとなり、鋏１の利便性の低下を招く。
【００２８】
また、本実施形態に係る鋏１では、上記のように指詰防止ガード２０ａ・２０ｂを設けたことに加えて、指詰を防止するための種々の工夫を凝らしている。具体的には、閉姿勢において指詰防止ガード２０ａ・２０ｂに対向する上下の端面１６ａ・１６ｂを平坦面としている。すなわち、左方の操作部７ａの指詰防止ガード２０ａに対向する、右方の操作部７ｂのベースブロック１２ｂの上端面１６ｂを平坦面とし、加えて、右方の操作部７ｂの指詰防止ガード２０ｂに対向する、左方の操作部７ａのベースブロック１２ａの下端面１６ａを平坦面としている。このように、閉姿勢において指詰防止ガード２０ａ・２０ｂに対向する上下端面１６ｂ・１６ａを平坦面としていると、該平坦面である上下端面１６ｂ・１６ａと指詰防止ガード２０ａ・２０ｂの突端部との間に中指３３等の指先が挟まれることを確実に防ぐことができる。すなわち、例えば、ベースブロック１２ａ・１２ｂの薄肉化を図るために、ベースブロック１２ａ・１２ｂの指詰防止ガード２０ａ・２０ｂに対向する上下端面１６ｂ・１６ａに、指詰防止ガード２０ａ・２０ｂの受け入れる凹部を形成した場合には、かかる凹部の側面と指詰防止ガード２０ａ・２０ｂの突端部との間に、中指３３等の指先が挟まれるおそれが残る。これに対して、本実施形態のように、閉姿勢において指詰防止ガード２０ａ・２０ｂに対向する上下端面１６ｂ・１６ａを平坦面で形成してあると、かかる指詰防止ガード２０ａ・２０ｂに対向する上下端面１６ｂ・１６ａに中指３３等の指先が載った場合にも、操作部７ａ・７ｂの閉操作に伴って、指先は上下端面１６ｂ・１６ａの表面を滑ることとなるため、該上下端面１６ｂ・１６ａと指詰防止ガード２０ａ・２０ｂの突端部との間に中指３３等の指先が挟まれる不都合は生じず、指詰を確実に防止することができる。
【００２９】
また、図４に示すように、本実施形態においては、指詰防止ガード２０ａ・２０ｂの突端部の上下端面１６ａ・１６ｂと対向するコーナー部２０１ａ・２０１ｂを湾曲面としている。このように、指詰防止ガード２０ａ・２０ｂの突端部の上下端面１６ａ・１６ｂと対向するコーナー部２０１ａ・２０１ｂを湾曲面としていると、指先が傷付くことをより確実に防ぐことができる。
【００３０】
また、本実施形態においては、図１、図３および図８に示すように、中指３３、薬指３４および親指３１といった指掛孔６ａ・６ｂに挿入された指先の接触箇所に滑り止め用の凹凸部２５を形成した。これによれば、これら凹凸部２５に中指３３等の指先をあてがうことにより、指掛孔６ａ・６ｂに挿入された中指３３等の状態をさらに確実に保持することができるので、中指３３等が不用意に滑り移動して、指先が対向内面１０ａ・１０ｂに至ることを防ぐことができ、対向内面１０ａ・１０ｂ或いは突部２１ａ・２１ｂの間に指先が挟まれることを防ぐことができる。本実施形態においては、図４に示すように、第１傾斜面１７１ａ、第２傾斜面１７２ａおよび第３傾斜面１７３ａで構成される操作部７ａの左側面１７ａ、および第１傾斜面１７１ｂ、第２傾斜面１７２ｂおよび第３傾斜面１７３ｂで構成される操作部７ｂの右側面１７ｂに、前後方向に亘って複数本の凹部を列設することで凹凸部２５を形成した。
【００３１】
本実施形態に係る鋏は、図８に示す使用態様のほか、図９および図１０に示すような使用態様を採ることができる。図９に示す使用態様では、親指３１を右方の指掛孔６ｂに挿入せずに、親指３１の右方の操作部７ｂの外ブロック１３ｂの外周縁に掛けている点が、先の図８に示す使用態様と相違する。以上のような使用態様に対応するため、本実施形態においては、外ブロック１３ａ・１３ｂの前方の親指３１の接触箇所に滑り止め用の凹凸部２６を形成している。このように、親指３１を外ブロック１３ｂの外周縁に掛けて、操作部７ａ・７ｂに対して閉操作を行うと、図８に示す使用態様に比べて、中指３３および薬指３４と親指３１との間隔を大きく取ることができるので、より大きな力で操作部７ａ・７ｂに力を加えて閉操作（切断操作）を行うことができる。また、親指３１の接触箇所に係る外ブロック１３ａ・１３ｂに滑り止め用の凹凸部２６を形成したので、当該使用態様を採った場合にも親指３１が不用意に滑ることを効果的に防ぐことができる。
【００３２】
図１０に示す使用態様では、親指３１を右方の操作部７ｂの指掛孔６ｂに挿入し、人差し指３２から小指３５の四本の指を操作部７ａの外ブロック１３ａの外周縁に掛けている点が、先の図８に示す使用態様と相違する。以上のような使用態様に対応するため、本実施形態においては、外ブロック１３ａの後方の薬指３４等の接触箇所に滑り止め用の凹凸部２７を形成している。このように、人差し指３２から小指３５の四本の指を外ブロック１３ａ・１３ｂの外周縁に掛けて、操作部７ａ・７ｂに対して閉操作を行う場合にも、図９に示す使用態様の場合と同様に、図８に示す使用態様に比べて、中指３３および薬指３４等と親指３１との間隔を大きく取ることができるので、より大きな力で操作部７ａ・７ｂに力を加えて閉操作（切断操作）を行うことができる。また、薬指３４等の接触箇所に滑り止め用の凹凸部２７を形成したので、当該使用態様を採った場合にも薬指３４等が不用意に滑ることを効果的に防ぐことができる。
【００３３】
本発明に係る鋏の操作部７ａ・７ｂの形状等は、先の実施形態に示したものに限られず、例えば、外ブロック１３ａ・１３ｂの凹凸部２６・２７等は無くてもよく、要は操作部７ａ・７ｂに指詰防止ガード２０ａ・２０ｂが形成されていればよい。上記実施形態においては、両操作部７ａ・７ｂの対向内面１０ａ・１０ｂに突部２１ａ・２１ｂを形成したが、本発明はこれに限られず、一方の操作部７ａ・７ｂの対向内面１０ａ・１０ｂのみに突部２１ａ・２１ｂが形成されており、一方の突部２１ａ・２１ｂの突端が対向内面１０ａ・１０ｂに接触することで対向間隙２３が形成される形態であってもよい。
【符号の説明】
【００３４】
１  鋏
２  切断部
３  柄部
４ａ・４ｂ  鋏片
５  回転中心軸
６ａ・６ｂ  指掛孔
７ａ・７ｂ  操作部
２０ａ・２０ｂ  指詰防止ガード
２１ａ・２１ｂ  突部
２３  対向間隙
２５  凹凸部
【図１】
2013000160.tif 000003
【図２】
2013000160.tif 000004
【図３】
2013000160.tif 000005
【図４】
2013000160.tif 000006
【図５】
2013000160.tif 000007
【図６】
2013000160.tif 000008
【図７】
2013000160.tif 000009
【図８】
2013000160.tif 000010
【図９】
2013000160.tif 000011
【図１０】
2013000160.tif 000012
【手続補正書】
【提出日】平成24年1月24日(2012.1.24)
【手続補正１】
【補正対象書類名】明細書
【補正対象項目名】０００６
【補正方法】変更
【補正の内容】
【０００６】
本発明は、図１に示すように、前端に切断部２を有するとともに後端に柄部３を有する上下一対の鋏片４ａ・４ｂと、鋏片４ａ・４ｂの前後方向の中央部に設けられて、Ｘ字状に組まれた鋏片４ａ・４ｂどうしを交差揺動可能に支持する回転中心軸５と、各鋏片４ａ・４ｂの柄部３に装着されて、操作者の指先を掛けるための指掛孔６ａ・６ｂを有する左右一対の操作部７ａ・７ｂとを備え、指掛孔６ａ・６ｂに掛けた指先により、両操作部７ａ・７ｂの対向内面１０ａ・１０ｂが離れる開姿勢と、両操作部７ａ・７ｂの対向内面１０ａ・１０ｂが近接する閉姿勢との間で、回転中心軸５まわりに両操作部７ａ・７ｂを開閉操作することにより、切断部２を開閉操作することができる鋏を対象とする。
そして、左右一方の操作部７ａの上端、および他方の操作部７ｂの下端には、これら上端および下端から左右内方向に片持ち状に張り出し形成されて、両操作部７ａ・７ｂを閉姿勢としたときに、相対する操作部７ｂ・７ａの上端面１６ｂ或いは下端面１６ａに重なって、上下の方向から対向内面１０ａ・１０ｂ側への指先の進入を防ぐための指詰防止ガード２０ａ・２０ｂが形成されている。両操作部７ａ・７ｂを閉姿勢としたときに、指詰防止ガード２０ａ・２０ｂと、これら指詰防止ガード２０ａ・２０ｂと相対する操作部７ｂ・７ａの上端面１６ｂおよび下端面１６ａとの間には対向間隙が形成されている。かかる対向間隙により、両操作部７ａ・７ｂを閉姿勢としたときに、指詰防止ガード２０ａ・２０ｂと、これら指詰防止ガード２０ａ・２０ｂと相対する操作部７ｂ・７ａの上端面１６ｂおよび下端面１６ａとが非接触状態となるように構成されていることを特徴とする。
【手続補正２】
【補正対象書類名】特許請求の範囲
【補正対象項目名】全文
【補正方法】変更
【補正の内容】
【特許請求の範囲】
【請求項１】
前端に切断部（２）を有するとともに後端に柄部（３）を有する上下一対の鋏片（４ａ・４ｂ）と、鋏片（４ａ・４ｂ）の前後方向の中央部に設けられて、Ｘ字状に組まれた鋏片（４ａ・４ｂ）どうしを交差揺動可能に支持する回転中心軸（５）と、各鋏片（４ａ・４ｂ）の柄部（３）に装着されて、操作者の指先を掛けるための指掛孔（６ａ・６ｂ）を有する左右一対の操作部（７ａ・７ｂ）とを備え、
指掛孔（６ａ・６ｂ）に掛けた指先により、両操作部（７ａ・７ｂ）の対向内面（１０ａ・１０ｂ）が離れる開姿勢と、両操作部（７ａ・７ｂ）の対向内面（１０ａ・１０ｂ）が近接する閉姿勢との間で、回転中心軸（５）まわりに両操作部（７ａ・７ｂ）を開閉操作することにより、切断部（２）を開閉操作することができる鋏において、
左右一方の操作部（７ａ）の上端、および他方の操作部（７ｂ）の下端には、これら上端および下端から左右内方向に片持ち状に張り出し形成されて、両操作部（７ａ・７ｂ）を閉姿勢としたときに、相対する操作部（７ｂ・７ａ）の上端面（１６ｂ）或いは下端面（１６ａ）に重なって、上下の方向から対向内面（１０ａ・１０ｂ）側への指先の進入を防ぐための指詰防止ガード（２０ａ・２０ｂ）が形成されており、
両操作部（７ａ・７ｂ）を閉姿勢としたときに、指詰防止ガード（２０ａ・２０ｂ）と、これら指詰防止ガード（２０ａ・２０ｂ）と相対する操作部（７ｂ・７ａ）の上端面（１６ｂ）および下端面（１６ａ）との間には対向間隙が形成されており、
かかる対向間隙により、両操作部（７ａ・７ｂ）を閉姿勢としたときに、指詰防止ガード（２０ａ・２０ｂ）と、これら指詰防止ガード（２０ａ・２０ｂ）と相対する操作部（７ｂ・７ａ）の上端面（１６ｂ）および下端面（１６ａ）とが非接触状態となるように構成されていることを特徴とする鋏。
【請求項２】
閉姿勢において指詰防止ガード（２０ａ・２０ｂ）に対向する操作部（７ｂ・７ａ）の上端面（１６ｂ）および下端面（１６ａ）が平坦面とされている、請求項１記載の鋏。
【請求項３】
指詰防止ガード（２０ａ・２０ｂ）の操作部（７ａ・７ｂ）からの基端部に、滑り止め用の凹凸部（２５）が形成されている、請求項１記載の鋏。
【請求項４】
両操作部（７ａ・７ｂ）の一方、或いは両方の対向内面（１０ａ・１０ｂ）には、閉姿勢における両操作部（７ａ・７ｂ）の近接限界を規制するための突部（２１ａ・２１ｂ）が形成されており、突部（２１ａ・２１ｂ）どうしが接触すること、或いは突部（２１ａ・２１ｂ）の突端が対向内面に接触することで、閉姿勢において両操作部（７ａ・７ｂ）の間には対向空隙（２３）が形成されるようになっており、
両操作部（７ａ・７ｂ）を閉姿勢としたとき、指詰防止ガード（２０ａ・２０ｂ）により上下方向から対向間隙（２３）への指先の進入を防止することができるようになっている、請求項１乃至３のいずれかに記載の鋏。